(57)【要約】【課題】自車両の発進を周囲の車両や歩行者に注意喚起することができる車両用灯具システムを提供する。【解決手段】車両用灯具システム１は、複数の光源ユニット２２Ｒ，２２Ｌと、複数の光源ユニット２２Ｒ，２２Ｌを制御する制御部１４と、を備えている。制御部１４は、車両１０を作動させるための信号が入力されたときに複数の光源ユニット２２Ｒ，２２Ｌを順次点灯させる。これにより、車両１０の発進を周囲の車両や歩行者に注意喚起することができる。【選択図】図１
2014012493.tif 000002
【特許請求の範囲】
【請求項１】
複数の光源ユニットと、
前記複数の光源ユニットを制御する制御部と、
を備え、
前記制御部は、車両を作動させるための信号が入力されたときに前記複数の光源ユニットを順次点灯させる、車両用灯具システム。
【請求項２】
前記制御部は、前記車両のイグニッションスイッチがオン状態とされたとき、あるいは前記車両の停車中にランプスイッチがオン状態とされたときに前記複数の光源ユニットを順次点灯させる、請求項１に記載の車両用灯具システム。
【請求項３】
前記信号が入力されたときの前記複数の光源ユニットによる各照射領域の最大照度は、前記車両の走行時の各照射領域の最大照度よりも低くなるように設定されている、請求項１または２に記載の車両用灯具システム。
【請求項４】
前記制御部は、前記複数の光源ユニットのうち隣り合う光源ユニットを連続して点灯させる、請求項１から３のいずれか一項に記載の車両用灯具システム。
【請求項５】
さらに、前記光源ユニットを順次点灯させる際に前記光源ユニットの異常を検知する検知手段を備えている、請求項１から４のいずれか一項に記載の車両用灯具システム。
【発明の詳細な説明】
【技術分野】
【０００１】
本発明は、複数の光源ユニットを備える車両用灯具システムに関する。
【背景技術】
【０００２】
従来より、キーレスエントリー機能を備えた車両において、キーレスエントリー機構を使用した際にハザードランプを点灯させてドアロックの施錠および解錠の確認を行うためのハザードランプ点灯装置が知られている（特許文献１参照）。
【先行技術文献】
【特許文献】
【０００３】
【特許文献１】特開２００６−１３０９３７号公報
【発明の概要】
【発明が解決しようとする課題】
【０００４】
しかし、特許文献１に記載されたハザードランプ点灯装置は、ドアロックの施錠および解錠の確認するためにハザードランプを点灯するものであって、周囲に車両の発進を注意喚起するようなものではなかった。
【０００５】
そこで、本発明は、自車両の発進を周囲の車両や歩行者に注意喚起することができる車両用灯具システムを提供することを目的とする。
【課題を解決するための手段】
【０００６】
本発明によれば、上記目的を達成するために、
複数の光源ユニットと、
前記複数の光源ユニットを制御する制御部と、
を備え、
前記制御部は、車両を作動させるための信号が入力されたときに前記複数の光源ユニットを順次点灯させる、車両用灯具システムを提供する。
この構成によれば、車両の作動信号を受けて複数の光源ユニットを順次点灯させることにより、自車両の発進を周囲の車両や歩行者に注意喚起することができる。
【０００７】
本発明によれば、上記の車両用灯具システムにおいて、前記制御部は、前記車両のイグニッションスイッチがオン状態とされたとき、あるいは前記車両の停車中にランプスイッチがオン状態とされたときに前記複数の光源ユニットを順次点灯させてもよい。
この構成によれば、車両のエンジン始動時あるいはエンジン始動後から車両の発進前のいずれかの適切なタイミングで、車両の発進を周囲に注意喚起することができる。
【０００８】
本発明によれば、上記の車両用灯具システムにおいて、前記信号が入力されたときの前記複数の光源ユニットによる各照射領域の最大照度は、前記車両の走行時の各照射領域の最大照度よりも低くなるように設定されていてもよい。
この構成によれば、車両走行時の光源ユニットによる照射とは異なる印象を周囲に与えることで、周囲の車両や歩行者へ車両の発進をより確実に注意喚起することができる。
【０００９】
本発明によれば、上記の車両用灯具システムにおいて、前記制御部は、前記複数の光源ユニットのうち隣り合う光源ユニットを連続して点灯させてもよい。
この構成によれば、隣り合う光源ユニットを連続して点灯させることで、一部の光源ユニットの不具合を目視等により確認することができる。
【００１０】
本発明によれば、上記の車両用灯具システムにおいて、さらに、前記光源ユニットを順次点灯させる際に前記光源ユニットの異常を検知する検知手段を備えていてもよい。
この構成によれば、検知手段により、光源ユニットの異常を検知して運転者に通知することができる。
【発明の効果】
【００１１】
本発明に係る車両用灯具システムによれば、車両を作動させるための信号が入力されたとき、すなわち車両の発進前に複数の光源ユニットを順次点灯させることにより、自車両の発進を周囲の車両や歩行者に注意喚起することができ、車両の安全性が向上する。
【図面の簡単な説明】
【００１２】
【図１】本発明の実施形態に係る前照灯装置が搭載された車両の全体構成を模式的に示す図である。
【図２】図１における右前照灯ユニットの構成を示す水平断面図である。
【図３】図２における基板の構成を模式的に示す図である。
【図４】図１における前照灯装置からの光によって形成される配光パターンを模式的に示す図である。
【図５】図１の前照灯装置による車両走行時の調光制御を説明する図である。
【図６】図１の前照灯装置による車両発進前の電子スイブル制御を、配光パターンを用いて説明する図である。
【図７】本発明の発光素子ユニットの変形例の構成を模式的に示す図である。
【図８】本発明の車両用灯具システムの変形例の構成を示す図である。
【発明を実施するための形態】
【００１３】
添付の図面を参照しつつ本発明の実施形態の例について以下詳細に説明する。なお以下の説明に用いる各図面では、各部材を認識可能な大きさとするために縮尺を適宜変更している。
【００１４】
図１に本発明の実施形態に係る車両用灯具システム１が搭載された車両１０の全体構成を模式的に示す。車両用灯具システム１は、前照灯装置１２、後照灯装置１３、統合制御部１４、車輪速センサ１６、および操舵角センサ１７を備えている。
【００１５】
統合制御部１４は、各種演算処理を実行するＣＰＵ、各種制御プログラムを格納するＲＯＭ、データ格納やプログラム実行のためのワークエリアとして利用されるＲＡＭ等を備え、車両１０における様々な制御を実行する。
【００１６】
車輪速センサ１６は、車両１０の４つの車輪の各々に対応して設けられている。車輪速センサ１６の各々は、統合制御部１４と通信可能に接続されており、車輪の回転速度に応じた信号を統合制御部１４に出力する。統合制御部１４は、車輪速センサ１６から入力された信号を利用して車両１０の速度を算出する。
【００１７】
操舵角センサ１７は、ステアリングホイールに設けられて統合制御部１４と通信可能に接続されている。操舵角センサ１７は、運転手によるステアリングホイールの操舵回転角に対応した操舵角パルス信号を統合制御部１４に出力する。統合制御部１４は、操舵角センサ１７から入力された信号を利用して車両１０の進行方向を算出する。
【００１８】
前照灯装置１２は、前照灯制御部２０（制御部の一例）、右前照灯ユニット２２Ｒ、および左前照灯ユニット２２Ｌを備えている。以下、右前照灯ユニット２２Ｒと左前照灯ユニット２２Ｌを、必要に応じて前照灯ユニット２２と総称する。前照灯制御部２０は、ＣＰＵ、ＲＯＭ、およびＲＡＭ等を有し、前照灯ユニット２２による光の照射を制御する。
【００１９】
後照灯装置１３は、後照灯制御部２１、右後照灯ユニット２３Ｒ、および左後照灯ユニット２３Ｌを備えている。以下、右後照灯ユニット２３Ｒと左後照灯ユニット２３Ｌを、必要に応じて後照灯ユニット２３と総称する。後照灯制御部２１は、ＣＰＵ、ＲＯＭ、およびＲＡＭ等を有し、後照灯ユニット２３による光の照射を制御する。
【００２０】
図２は、上記の右前照灯ユニット２２Ｒを水平面で切断して上方から見た断面を示している。右前照灯ユニット２２Ｒは、透光カバー３０、ランプボディ３２、エクステンション３４、第１灯具ユニット３６、および第２灯具ユニット３８を備えている。
【００２１】
透光カバー３０は透光性を有する樹脂等によって形成され、ランプボディ３２に装着されて灯室を区画形成している。第１灯具ユニット３６および第２灯具ユニット３８は灯室内に配置されており、第１灯具ユニット３６は第２灯具ユニット３８よりも車両外側に配置されている。
【００２２】
第１灯具ユニット３６は、いわゆるパラボラ型の灯具ユニットであり、後述するロービーム用配光パターンを形成する。第１灯具ユニット３６は、光源４２としてハロゲンランプ等のフィラメントを有する白熱灯や、メタルハライドランプ等のＨＩＤ（High Intensity Discharge）ランプを用いている。
【００２３】
第２灯具ユニット３８は、ホルダ４６、投影レンズ４８、発光素子ユニット４９、基板５０、およびヒートシンク５４を備えている。
【００２４】
投影レンズ４８は、筒状に形成されたホルダ４６の一方の開口部に装着されている。投影レンズ４８は、前方側表面が凸面で後方側表面が平面の平凸非球面レンズであり、その後側焦点面上に形成される光源像を反転像として灯具前方の仮想鉛直スクリーン上に投影する。
【００２５】
発光素子ユニット４９は基板５０の前方側表面に設けられており、ヒートシンク５４は基板５０の後方側表面に設けられている。
【００２６】
図３は、右前照灯ユニット２２Ｒの基板５０の構成を示している。基板５０には、発光素子ユニット４９とともにモジュール６０が設けられている。発光素子ユニット４９は、基板５０上に実装された発光素子アレイ５２を備えている。
【００２７】
発光素子アレイ５２は、車両右側から左側に向かって一列に配列された第１発光素子５２−１〜第１３発光素子５２−１３（光源ユニットおよび半導体発光素子の一例）を備えている。
各発光素子は、同一の高さと同一の幅を有する直方体状に形成されている。図示は省略しているが、各発光素子は光源および薄膜を有している。光源は１ｍｍ角程度の発光面を有する白色ＬＥＤ（発光ダイオード）であり、薄膜はこの発光面を覆うように設けられている。
【００２８】
図３においては各発光素子に番号を記し、第１発光素子５２−１、第１３発光素子５２−１３以外の発光素子については参照番号の表示を省略している。例えば発光素子アレイ５２において番号７が記された発光素子は、第７下側発光素子５２−７を意味している。
【００２９】
各発光素子は、信号線６１を介してモジュール６０（検知手段の一例）との間に電流回路を形成している。モジュール６０は、前照灯制御部２０と電気的に接続されており、前照灯制御部２０の制御信号に応じて、信号線６１を通じて供給される電流の量を調整することにより、各発光素子の点消灯および点灯時における光度を制御することができる。
【００３０】
さらに、モジュール６０は、信号線６１を介して各発光素子との間に異常検知回路を形成しており、各発光素子に供給される電流値又は電圧値を検出することにより、各発光素子の断線等の異常を検知して、前照灯制御部２０に対して異常検知信号を送信することができる。
【００３１】
図２に示すように、基板５０がホルダ４６の他方の開口部に装着されることにより、発光素子ユニット４９およびモジュール６０がホルダ４６の内部に配置される。発光素子ユニット４９が備える複数の発光素子が各々発光することにより、それぞれの像が灯具前方の仮想鉛直スクリーン上に投影される。複数の発光素子は、本発明における複数の光源ユニットとして機能する。
【００３２】
左前照灯ユニット２２Ｌは右前照灯ユニット２２Ｒと左右対称に構成されているため、詳細な説明は省略する。なお、左前照灯ユニット２２Ｌにおいても、第１発光素子５２−１〜第１３発光素子５２−１３は車両右側から車両左側に向かって配列されている。すなわち第２灯具ユニット３８の内部構成に関しては、左前照灯ユニット２２Ｌと右前照灯ユニット２２Ｒは左右対称でない。
【００３３】
図４の（ａ）は、右前照灯ユニット２２Ｒおよび左前照灯ユニット２２Ｌから前方に照射される光により、例えば車両前方２５ｍの位置に配置された仮想鉛直スクリーン上に形成される配光パターンを示している。
【００３４】
ロービーム用配光パターンＰＬは、右前照灯ユニット２２Ｒおよび左前照灯ユニット２２Ｌの第１灯具ユニット３６からの照射光の合成によって形成される。ロービーム用配光パターンＰＬは左配光のロービーム用配光パターンであり、その上端縁に第１カットオフラインＣＬ１〜第３カットオフラインＣＬ３を有している。第１カットオフラインＣＬ１と第２カットオフラインＣＬ２は、灯具正面方向の消点を通る鉛直線であるＶ−Ｖ線を境にして左右段違いで水平方向に延在している。また、第３カットオフラインＣＬ３は、第１カットオフラインＣＬ１の右端部から右下方に向かって斜めに延び、第２カットオフラインＣＬ２の左端部に接続している。
【００３５】
付加配光パターンＰＡは、右前照灯ユニット２２Ｒおよび左前照灯ユニット２２Ｌの第２灯具ユニット３８が備える全ての発光素子からの照射光によって形成される配光パターンである。付加配光パターンＰＡは、その下端が第１カットオフラインＣＬ１上に位置するよう水平方向に延在する帯状に形成される。よって第２灯具ユニット３８は、ハイビーム用の光源として機能するものであってもよい。
【００３６】
図４の（ｂ）に付加配光パターンＰＡと、発光素子アレイ５２の関係を示す。この例では、付加配光パターンＰＡは各々略同一の形状と面積を有する１３個の部分領域に分割されており、部分領域Ｌ１〜Ｌ１３とを含んでいる。部分領域Ｌ１〜Ｌ１３はＨ−Ｈ線近傍に位置している。
【００３７】
部分領域Ｌ１は、右前照灯ユニット２２Ｒの第１発光素子５２−１および左前照灯ユニット２２Ｌの第１発光素子５２−１を光源像とした投影像の合成として形成される。換言すると、これらの発光素子からの照射光の合成によって形成される。他の部分領域についても同様に、左右の前照灯ユニット２２の対応する発光素子からの照射光の合成によって形成される。
【００３８】
次に、車両走行時の車両用灯具システム１による調光制御について図５を参照しつつ説明する。
【００３９】
図５は、車両走行時に前照灯ユニット２２を点灯させるための図示しないランプスイッチがオンされている場合の、付加配光パターンＰＡ内の部分領域Ｌ１〜Ｌ１３の照度分布を示す図である。棒グラフが長いほど照度が高いことを意味している。また各部分領域の照度と、当該部分領域に光を照射する発光素子に供給される電流の量とは対応関係にあるため、同図は各部分領域に対応する発光素子に供給される電流の値も表しており、棒グラフが長いほど供給される電流の値が大きくなる。
【００４０】
図５（ａ）は、初期状態の部分領域Ｌ１〜Ｌ１３の照度分布を示し、図５（ｂ）は電子スイブル制御がなされた場合の部分領域Ｌ１〜Ｌ１３の照度分布を示している。
まず、図５（ａ）においては、第１カットオフラインＣＬ１とＶ−Ｖ線との交点であるエルボ点Ｅの近傍が最も明るく照射され、当該エルボ点Ｅから水平方向左右に離れるにしたがって照度が低くなるように照射領域が形成されている。
【００４１】
図５（ｂ）に示すように、統合制御部１４は、車両１０の走行時において、車輪速センサ１６および操舵角センサ１７から入力された信号に基づき、前照灯制御部２０を通じて第２灯具ユニット３８に備わる発光素子ユニット４９の各発光素子に流れる電流の量を増減させることによって、照射光の光度を変化させることができる。これにより各部分領域の照度が調整され、付加配光パターンＰＡ内における照度の分布が変化する。この調整を適宜に行なうことによって、照射状態とされている部分領域の集合である照射領域が付加配光パターンＰＡ内を水平方向左右に移動させる電子スイブル制御動作を可能としている。すなわち、第２灯具ユニット３８の灯具光軸を機械的に旋回させるスイブル機構と同等の効果を得ることができる。
【００４２】
図６は、本実施形態において、車両発進前に電子スイブル制御を行なった場合を示す図である。
本実施形態においては、車両１０を作動させるための信号が入力されたとき、すなわち車両発進前に、統合制御部１４が、車輪速センサ１６および操舵角センサ１７からの信号とは無関係に、発光素子ユニット４９の照射領域を移動する電子スイブル制御を行う。なお、図６においては、左前照灯ユニット２２Ｌにおける第２灯具ユニット３８の電子スイブル制御を行った場合の付加配光パターンＰＡ内の照射領域の移動を示しているが、右前照灯ユニット２２Ｒにおける第２灯具ユニット３８についても同様に電子スイブル制御を行うことができる。
【００４３】
ここで、車両１０を作動させるための信号とは、車両１０の図示しないイグニッションスイッチがオン状態とされたことを示す信号、あるいは車両１０の停車中に図示しないランプスイッチがオン状態とされたことを示す信号等を意味する。なお、この信号は、シフトポジションがパーキングポジションからドライブポジション、ニュートラルポジション、あるいはリバースポジションに切り替えられたことを示す信号や、アクセルペダルが踏み込まれたことを示す信号であってもよい。
【００４４】
図６（ａ）の実線部分は、左前照灯ユニット２２Ｌの発光素子ユニット４９により、部分領域Ｌ１およびＬ２が照射された場合の照度を示している。図６（ａ）の破線部分は、図５（ａ）に示す車両走行時の照射領域の最大照度を示している。同様に、図６（ｂ）は部分領域Ｌ１〜Ｌ３が照射された場合の照度、図６（ｃ）は部分領域Ｌ２〜Ｌ４が照射された場合の照度、図６（ｄ）は部分領域Ｌ６〜Ｌ８が照射された場合の照度、図６（ｅ）は部分領域Ｌ９〜Ｌ１１が照射された場合の照度、図６（ｆ）は部分領域Ｌ１２およびＬ１３が照射された場合の照度を示している。
【００４５】
車両１０を作動させるための信号が入力されたとき、統合制御部１４は、左前照灯ユニット２２Ｌの第１発光素子５２−１〜第１３発光素子５２−１３を順次点灯させる。なお、このとき、図６（ａ）〜（ｆ）に示す順に、照射領域の左端の部分領域Ｌ１から右端の部分領域Ｌ１３へ向けて照射領域が移動するよう、第１発光素子５２−１〜第１３発光素子５２−１３のうち隣り合う発光素子を連続して点灯させることが好ましい。
また、第１発光素子５２−１〜第１３発光素子５２−１３を順次点灯させる際には、第１発光素子５２−１〜第１３発光素子５２−１３のうち１つ以上３つ以下の発光素子を同時に点灯させることが好ましい。
【００４６】
図示は省略するが、左前照灯ユニット２２Ｌの第１発光素子５２−１〜第１３発光素子５２−１３の点灯と同時に、統合制御部１４は、右前照灯ユニット２２Ｒの第１発光素子５２−１〜第１３発光素子５２−１３を順次点灯させる。このとき、右前照灯ユニット２２Ｒにおいては、左前照灯ユニット２２Ｌとは逆に、照射領域の右端の部分領域Ｌ１３から左端の部分領域Ｌ１へ向けて照射領域が移動するよう、第１発光素子５２−１〜第１３発光素子５２−１３のうち隣り合う発光素子を連続的に点灯させることが好ましい。
【００４７】
いずれかの発光素子に断線等の異常が発生している場合には、第１発光素子５２−１〜第１３発光素子５２−１３を順次点灯させる際に、一部の発光素子の電流値あるいは電圧値に変化が生じる。この変化をモジュール６０により検知することにより、統合制御部１４に対して発光素子の異常を知らせる異常検知信号が送信される。
また、図６（ａ）〜（ｆ）に示すように、第１発光素子５２−１〜第１３発光素子５２−１３のうち隣り合う発光素子を連続して点灯させる場合には、個別の発光素子の不具合を運転者が目視によって確認することもできる。
【００４８】
本実施形態における電子スイブル制御は、周囲の車両や歩行者へ車両１０の発進を注意喚起したり、各発光素子の不具合を確認したりするためのものであり、車両走行時ほど明るく照射する必要はない。そのため、図６（ａ）に示すように、車両１０を作動させるための信号が入力されたときの第１発光素子５２−１〜第１３発光素子５２−１３による各照射領域である部分領域Ｌ１〜Ｌ１３の最大照度が図５および図６（ａ）の破線部分に示される車両走行時の部分領域Ｌ１〜Ｌ１３の最大照度よりも低くなるように、第１発光素子５２−１〜第１３発光素子５２−１３へ流れる電流値が設定されていることが好ましい。
【００４９】
以上説明したように、本実施形態の車両用灯具システム１によれば、車両１０のエンジン始動時あるいはエンジン始動後から車両１０の発進前のいずれかの適切なタイミングで、第１発光素子５２−１〜第１３発光素子５２−１３を順次点灯させることにより、自車両の発進を周囲の車両や歩行者に注意喚起することができ、車両１０の安全性が向上する。
また、車両１０を作動させるための信号が入力されたときの部分領域Ｌ１〜Ｌ１３の最大照度は、車両走行時の部分領域Ｌ１〜Ｌ１３の最大照度よりも低くなるように設定されているため、車両走行時の照射とは異なる印象を周囲の車両や歩行者へ与えることができ、より確実に注意喚起を行うことができる。
【００５０】
また、電子スイブル制御を行う際にモジュール６０により第１発光素子５２−１〜第１３発光素子５２−１３の異常を検知することができるため、車両１０の発進前に各発光素子の不具合を運転者に通知することができる。なお、第１発光素子５２−１〜第１３発光素子５２−１３を連続的に点灯させることができるため、運転者自身の目視によっても、各発光素子の不具合を確認することが可能となる。    
【００５１】
さらに、車輪速センサ１６および操舵角センサ１７からの信号とは関係なく、車両１０の停車中でも電子スイブル制御を行うことができるため、他の車両との視覚的な機能の差別化ができ、商品性の向上をも図ることができる。
【００５２】
以上において本発明の実施の形態の一例を説明したが、本発明は上記実施の形態に限定されるものでなく、必要に応じて他の構成を採用することが可能である。
【００５３】
上記実施の形態においては、車両前方に設けられた前照灯装置１２に備わる発光素子ユニット４９の電子スイブル制御を行う例を説明したが、車両後方に設けられた後照灯装置１３の後照灯ユニット２３についても、同様に発光素子ユニットの電子スイブル制御を行うことができる。この構成によれば、後照灯ユニット２３においても電子スイブル制御を行うことにより、たとえばシフトポジションがリバースポジションへ切り替えられたことを示す信号が入力された際に、後照灯ユニット２３に備わる各発光素子を順次点灯させて、車両の後進を周囲の車両や歩行者に注意喚起することができる。
また、前照灯装置１２と後照灯装置１３を車両の平面視周方向に順次点灯させるよう制御することもできる。さらに、第１灯具ユニット３６と第２灯具ユニット３８とをそれぞれ１つの光源ユニットとみなして、第１灯具ユニット３６および第２灯具ユニット３８を順次点灯させるよう制御することもできる。
【００５４】
また、上記実施の形態においては、左前照灯ユニット２２Ｌについては照射領域の左端の部分領域Ｌ１から右端の部分領域Ｌ１３へ向けて照射領域が移動すると同時に、右前照灯ユニット２２Ｒについては照射領域の右端の部分領域Ｌ１３から左端の部分領域Ｌ１へ向けて照射領域が移動するよう、第１発光素子５２−１〜第１３発光素子５２−１３を順次点灯させる構成としているが、照射領域の移動パターンや点灯の順序は上記の構成に限られるものではない。
たとえば、左前照灯ユニット２２Ｌと右前照灯ユニット２２Ｒとで同時に同方向に照射領域が移動する構成としてもよく、左前照灯ユニット２２Ｌと右前照灯ユニット２２Ｒのうち片方の電子スイブル制御が終了してから他方の電子スイブル制御を開始する構成としてもよい。さらに、各前照灯ユニット２２において一端の部分領域から他端の部分領域へ向けて照射領域が移動した後、他端の部分領域から一端の部分領域に向けて照射領域が戻るように各発光素子を点灯させる構成としてもよい。
このように、本実施形態によれば、個々の発光素子を独立して点消灯制御することができるため、周囲の車両や歩行者へ注意喚起する際の点灯パターンのバリエーションを増やすことができ、商品性のさらなる向上をも図ることができる。
【００５５】
また、付加配光パターンＰＡに含まれる部分領域の数は、上記実施の形態の構成に限られるものではない。たとえば、図７に示すように、発光素子ユニット４９ａは、基板５０上に実装された下側発光素子アレイ５２Ｌおよび上側発光素子アレイ５２Ｕを備えている構成であってもよい。下側発光素子アレイ５２Ｌは、車両右側から左側に向かって配列された第１下側発光素子５２Ｌ−１〜第１３下側発光素子５２Ｌ−１３を備えている。上側発光素子アレイ５２Ｕは、車両右側から左側に向かって配列された第１上側発光素子５２Ｕ−１〜第１３上側発光素子５２Ｕ−１３を備えている。
【００５６】
図７の構成においても、統合制御部１４は、車両１０が作動されるための信号が入力されたときに、第１下側発光素子５２Ｌ−１〜第１３下側発光素子５２Ｌ−１３および第１上側発光素子５２Ｕ−１〜第１３上側発光素子５２Ｕ−１３を個々に点消灯させて電子スイブル制御を行うことができる。
なお、この場合、第１上側発光素子５２Ｕ−１〜第１３上側発光素子５２Ｕ−１３を第１下側発光素子５２Ｌ−１〜第１３下側発光素子５２Ｌ−１３と同程度の光度で点灯させると、配光が車両外部の上方にまで及び、周囲の車両や歩行者に対してグレアを与えてしまうおそれがある。そのため、本実施形態においては、第１上側発光素子５２Ｕ−１〜第１３上側発光素子５２Ｕ−１３は消灯または減灯させた状態で電子スイブル制御を行うことが望ましい。あるいは、第２灯具ユニット３８の上部に図示しない可動シェードを設けて、機械的に上部配光を遮光する構成を採用してもよい。
【００５７】
また、上記実施の形態においては、右前照灯ユニット２２Ｒおよび左前照灯ユニット２２Ｌの第２灯具ユニット３８が備える複数の第１発光素子５２−１〜第１３発光素子５２−１３により電子スイブル制御を行う構成としたが、図８に示すように、複数の光源ユニット２００を用いる前照灯装置１２ａを備える車両用灯具システム１ａを採用してもよい。この構成においても、複数の光源ユニット２００を個別に点消灯することができるため、車両１０ａを作動させるための信号が入力されたときに複数の光源ユニット２００を順次点灯させることで、上記実施の形態と同様の効果を得ることができる。
【符号の説明】
【００５８】
１：車両用灯具システム、１０：車両、１２：前照灯装置、１３：後照灯装置、１４：統合制御部、２０：前照灯制御部、２１：後照灯制御部、２２Ｒ：右前照灯ユニット、２２Ｌ：左前照灯ユニット、２３Ｒ：右後照灯ユニット、２３Ｌ：左後照灯ユニット、５２：発光素子アレイ、５３−１〜５３−１３：第１発光素子〜第１３発光素子、ＰＡ：付加配光パターン、Ｌ１〜Ｌ１３：部分領域
【図１】
2014012493.tif 000003
【図２】
2014012493.tif 000004
【図３】
2014012493.tif 000005
【図４】
2014012493.tif 000006
【図５】
2014012493.tif 000007
【図６】
2014012493.tif 000008
【図７】
2014012493.tif 000009
【図８】
2014012493.tif 000010